(57)【特許請求の範囲】
【請求項１】
中空部を有する下地材と、
先端に回動可能なハンガーが設けられ前記下地材の裏面まで貫通させず表面から前記中空部まで空けた穿孔にアンカー軸が挿通されるハンガーアンカーと、
前記ハンガーアンカーに通してナットで留めることで前記下地材の表面に固定される支持金具と、
前記ハンガーを回動させて前記中空部に係止させた前記ハンガーアンカーの表面側に突出するアンカーボルトを通して前記アンカー軸と前記穿孔との間に介在させる管状の補強材と、を有し、
前記支持金具は、前記穿孔と同径の留孔が空けられ、前記ハンガーで押さえられた前記補強材が表面側に出て前記留孔に嵌合される、
ことを特徴とする下地材用固定金具。
【請求項２】
前記ハンガーアンカーは、前記アンカーボルトに前記ナットの螺合を阻害しない幅で且つ後端側をハンマーで叩落可能に径を細くしたスリットを有する、
ことを特徴とする請求項１に記載の下地材用固定金具。
【請求項３】
前記補強材は、前記アンカーボルトが通過可能な内径を有する、
ことを特徴とする請求項１又は２に記載の下地材用固定金具。
【発明の詳細な説明】
【技術分野】
【０００１】
本発明は、中空部を有する下地材にアンカーボルトを固定するための下地材用固定金具に関する。
【背景技術】
【０００２】
建物の外壁は、下地材にタイルや石材などを貼り付けることで仕上げられる。仕上方法としては、下地材にモルタルで直接タイル等を貼着する湿式工法や、下地材に固定した支持金具にタイル等を係止して接着剤で貼着する乾式工法などがある。下地材としては、ＰＣ（プレキャストコンクリート）板や、ＡＬＣ（高温高圧蒸気養生された軽量気泡コンクリート）パネルや、ＥＣＰ（押出成形セメント板）などがある。
【０００３】
乾式工法では、例えば、下地材に縦長の支持金具を横方向に間欠的に固定し、そこに横長の支持金具を縦方向に間欠的に固定することで、タイル等を係止する手段を設けている。下地材として中空部を有するＥＣＰを用いてアンカーボルトを固定する場合、正面側から通したアンカーボルトを中空部で固定すれば、背面側に貫通させなくて良いが、その反面、背面側であればアンカーボルトを留めやすいが、中空部だと留めにくいという問題がある。
【０００４】
特許文献１に記載されているように、中空セメント板の中空部に差し込んだナットを手で押さえて穿孔と位置合わせしながらボルトをねじ込まなければならないという課題を解決した中空セメント板用取付金具の発明も開示されている。また、アンカーボルトの先端に回動可能なハンガーを取り付け、水平にしたハンガーを穿孔から中空部に通すとハンガーが垂直に倒れて中空部内で係止可能となるハンガーアンカーという部材もある。
【先行技術文献】
【特許文献】
【０００５】
【特許文献１】特開平０７−１１９２２２号公報
【発明の概要】
【発明が解決しようとする課題】
【０００６】
しかしながら、ハンガーアンカーの場合、下地材に中空部までハンガーを通すのに必要な大きさの穿孔を空けるとアンカー軸と穿孔の間に隙間が生じ、アンカー軸がぐらつくと共に、穿孔内でアンカー軸を一点で受けた部分に荷重が掛かりボロボロに破壊されてしまう。
【０００７】
また、ハンガーを中空部内まで通すためにアンカー軸を長くする必要があり、手前に引いてハンガーを係止した後にアンカー軸が突出して邪魔となる。そのため、余分なアンカー軸を電動工具などで切断しようとすると、火花が発生して火災の原因となるおそれがある。
【０００８】
そこで、本発明は、中空部を有する下地材に穿孔を空けて支持金具を固定する場合に下地材が劣化するのを防止することを目的とする。
【課題を解決するための手段】
【０００９】
上記の課題を解決するために、本発明である下地材用固定金具は、中空部を有する下地材と、先端に回動可能なハンガーが設けられ前記下地材の裏面まで貫通させず表面から前記中空部まで空けた穿孔にアンカー軸が挿通されるハンガーアンカーと、前記ハンガーアンカーに通してナットで留めることで前記下地材の表面に固定される支持金具と、を有し、前記ハンガーを回動させて前記中空部に係止させた前記ハンガーアンカーの表面側に突出するアンカーボルトを通して前記アンカー軸と前記穿孔との間に介在させる管状の補強材を設ける、ことを特徴とする。
【００１０】
また、前記下地材用固定金具において、前記ハンガーアンカーは、前記アンカーボルトに前記ナットの螺合を阻害しない幅で且つ後端側をハンマーで叩落可能に径を細くしたスリットを有する、ことを特徴とする。
【００１１】
また、前記下地材用固定金具において、前記支持金具は、前記穿孔と同径の留孔が空けられ、前記ハンガーで押さえられた前記補強材が表面側に出て前記留孔に嵌合される、ことを特徴とする。
【００１２】
また、前記下地材用固定金具において、前記補強材は、前記アンカーボルトが通過可能な内径を有する、ことを特徴とする。
【発明の効果】
【００１３】
本発明によれば、中空部を有する下地材に穿孔を空けて支持金具を固定する場合に下地材が劣化するのを防止することができる。下地材に中空部までハンガーアンカーを通すのに必要な大きさの穿孔を空けてもアンカー軸と穿孔の間を補強材で埋めることで、アンカー軸のぐらつきを無くし、穿孔内でアンカー軸の荷重が一点に集中しないようにすることができる。支持金具も補強材に保持されて安定して固定される。また、突出した余分なアンカー軸をハンマー等で叩くだけで簡単に途中から折ることができるので、電動工具などで切断しようとして火花が発生することも無くなる。
【図面の簡単な説明】
【００１４】
【図１】本発明である下地材用固定金具によって支持金具が取り付けられた下地材を示す平面図である。
【図２】本発明である下地材用固定金具のハンガーアンカーを示す斜視図である。
【図３】本発明である下地材用固定金具のハンガーを水平に延ばした状態を示す正面図、平面図及び側面図である。
【図４】本発明である下地材用固定金具のハンガーを垂直に倒した状態を示す平面図、正面図及び側面図である。
【図５】本発明である下地材用固定金具を下地材に固定する過程を説明する側面図である。
【図６】本発明である下地材用固定金具を下地材に固定する過程を説明する側面図である。
【図７】本発明である下地材用固定金具を下地材に固定する過程を説明する側面図である。
【図８】本発明である下地材用固定金具を下地材に固定する過程を説明する側面図である。
【図９】本発明である下地材用固定金具を下地材に固定する過程を示す写真である。
【発明を実施するための形態】
【００１５】
以下に、本発明の実施形態について図面を参照して詳細に説明する。同一機能を有するものは同一符号を付け、その繰り返しの説明は省略する場合がある。
【実施例１】
【００１６】
まず、本発明である下地材用固定金具について説明する。図１は、下地材用固定金具によって支持金具が取り付けられた下地材を示す平面図である。図２〜４は、下地材用固定金具のハンガーアンカーの状態を示す斜視図、平面図、正面図及び側面図である。図５は、下地材用固定金具の補強材を示す斜視図である。
【００１７】
なお、表面は、下地材に支持金具が取り付けられてタイル等が乾式工法で貼着される側（正面側）とし、裏面は、下地材が建物の躯体などに固定される側（背面側）とする。また、先端は、ハンガーアンカーが下地材の内部に挿通される側（奥側）とし、後端は、ハンガーアンカーが下地材の表面に突出する側（手前側）とする。
【００１８】
図１に示すように、下地材用固定金具は、中空部１１０を有する下地材１００、先端に回動可能なハンガー２４０が設けられ下地材１００の裏面まで貫通させず表面から中空部１１０まで空けた穿孔１２０にアンカー軸２１０が挿通されるハンガーアンカー２００、及びハンガーアンカー２００に通してナット４００で留めることで下地材１００の表面に固定される支持金具３００等を有する。
【００１９】
下地材１００は、例えば、上下に貫通する中空部１１０が複数間欠的に空けられたＥＣＰ（押出成形セメント板）等がある。外壁の仕上げでは、下地材１００に支持金具３００を固定し、タイル等を貼着する乾式工法などの方法が採られる。
【００２０】
ハンガーアンカー２００は、支持金具３００を下地材１００に固定するために下地材１００に打ち込まれる。下地材１００には中空部１１０が存在するので、ハンガーアンカー２００を下地材１００の表面から裏面まで貫通させず、表面から中空部１１０まで穿孔１２０を空ければ良い。
【００２１】
下地材１００の裏面まで貫通していればナット等で留めやすいが、中空部１１０だと上面又は下面から届かない位置だとナット等で留めにくいので、アンカー軸２１０の先端に設けたハンガー２４０を中空部１１０内に引っ掛ける。
【００２２】
支持金具３００は、タイル等を係止、又は他の金具などを係止するために下地材１００に固定される部材である。ハンガーアンカー２００を支持金具３００及び下地材１００に通し、ワッシャ等を介してナット４００で留めれば良い。
【００２３】
図２〜４に示すように、ハンガーアンカー２００は、アンカー軸２１０の先端に回動軸２３０を介して回動可能にハンガー２４０が取り付けられる。また、アンカー軸２１０の後端は螺旋状のネジ山が形成されたアンカーボルト２２０が連設される。
【００２４】
アンカーボルト２２０は、ナット等を螺合させることが可能である。なお、アンカーボルト２２０の中間部には径を細くしたスリット２５０が形成される。スリット２５０は、ナット等の螺合を阻害しない狭い幅で設けられる。アンカーボルト２２０は、スリット２５０を超えてナット等を締める又は緩めることが可能である。
【００２５】
ハンガー２４０は、上面とその両側を下垂させた断面が逆凹状の部材をアンカー軸２１０の上に被せたものである。下垂させた一方から他方まで中間部を渡すように且つアンカー軸２１０の先端側を貫通させて回動軸２３０を通す。
【００２６】
図２（ａ）及び図３に示すように、ハンガー２４０は、アンカー軸２１０に対して水平状態にすることが可能で、図２（ｂ）及び図４に示すように、自重により９０度回動して垂直状態になる。
【００２７】
ハンガー２４０の上面は、回動時にアンカー軸２１０と干渉しないように中間部の一部を空けても良い。なお、ハンガー２４０を水平状態にしたときに、又は垂直状態にしたときに、それ以上に回動しないように上支え２７０で押さえても良い。
【００２８】
次に、下地材用固定金具の使用方法について説明する。図５〜８は、下地材用固定金具を下地材に固定する過程を説明する側面図である。
【００２９】
図５（ａ）に示すように、支持金具３００を留めるためのハンガーアンカー２００を下地材１００に取り付けるにあたり、まず、下地材１００に穿孔１２０を空ける。穿孔１２０は、少なくともハンガーアンカー２００を通過させる径が必要となる。ハンガーアンカー２００を通過させる支持金具３００の留孔と同径にすれば良く、下地材１００の表面から中空部１１０まで貫通させれば良い。
【００３０】
図５（ｂ）に示すように、ハンガーアンカー２００のハンガー２４０を水平状態にして、下地材１００の表面側から穿孔１２０に挿通する。ハンガー２４０が全て中空部１１０に到達すると、回動軸２３０を軸としてハンガー２４０の先端側が下方に回動して垂直状態になる。
【００３１】
図６（ｃ）に示すように、ハンガー２４０が垂直状態になったら、中空部１１０の内壁に接するまでハンガーアンカー２００を手前側に引いて、ハンガー２４０が穿孔１２０から抜けないように引っ掛ける。
【００３２】
図６（ｄ）に示すように、下地材用固定金具は、ハンガー２４０を回動させて中空部１１０に係止させたハンガーアンカー２００の表面側に突出するアンカーボルト２２０を通してアンカー軸２１０と穿孔１２０との間に介在させる管状の補強材５００を設ける（図２（ｃ）参照）。
【００３３】
補強材５００は、穿孔１２０と同じ外径を有し、アンカーボルト２２０のネジ山が引っ掛からず通過可能な内径を有する。また、補強材５００は、穿孔１２０の深さ（下地材１００の表面から中空部１１０までの厚さ）よりも長く、先端側がハンガー２４０で押さえられることで、後端側が下地材１００の表面から突出する。
【００３４】
図７（ｅ）に示すように、下地材１００の穿孔１２０と、アンカー軸２１０及びアンカーボルト２２０との隙間が、補強材５００によって埋められ、ハンガーアンカー２００がぐらつかないように保持される。
【００３５】
支持金具３００には穿孔１２０と同径の留孔３１０が空けられており、ハンガー２４０で押さえられた補強材５００の後端側が下地材１００の表面から出ているので、支持金具３００の留孔３１０に補強材５００を嵌め込むように取り付ければ良い。なお、補強材５００は、支持金具３００の表面より出たときは、ワッシャ等で調整しても良い。
【００３６】
図７（ｆ）に示すように、アンカーボルト２２０にナット４００を螺合させる。アンカーボルト２２０にはスリット２５０が空いているが、スリット２５０を超えて螺合を継続可能にネジ山が形成される。
【００３７】
図８（ｇ）に示すように、アンカーボルト２２０に螺合させたナット４００を締めてハンガー２４０と挟み込むことにより、下地材１００の表面に支持金具３００が固定される。なお、アンカーボルト２２０のスリット２５０は、ナット４００より手前側にある必要がある。
【００３８】
図８（ｈ）に示すように、アンカーボルト２２０の後端側をハンマー等で叩くことにより、叩落部２６０を叩き落とす。アンカーボルト２２０は、スリット２５０の位置で径が細くなっているので、そこで切断される。
【００３９】
アンカーボルト２２０が下地材１００から長く突出していると邪魔となるが、電動カッターなどの工具を使用することなく、叩くだけでスリット２５０の位置から折れ、容易にアンカーボルト２２０が短くなる。
【実施例２】
【００４０】
ＥＣＰに大型タイル又は石材を張り付けるにあたり、支持金具及びハンガーアンカーに荷重を負荷して影響を確認した。
【００４１】
タイル又は石材の重量：３０ｋｇ／ｍ２（２９４Ｎ／ｍ２）、１ヶ所の負荷面積：１．８ｍ２、１ヶ所の負荷荷重：５２９．２Ｎ、地震時加速度：２Ｇ、最小設計荷重：１０５８．４Ｎ、最大荷重：１００００Ｎ（安全率：９．４）とし、鉛直方向に最大荷重を超えるまで負荷した。
【００４２】
図９に示すように、補強材を使用しない場合は、ハンガーアンカーが変形して下方へ大きく傾き、ＥＣＰの穿孔に欠けが生じた。それに対して、補強材を使用した場合は、ハンガーアンカーに傾きは生じず、ＥＣＰの穿孔の欠け、破損、ひび割れ等は全く生じなかった。
【００４３】
本発明によれば、中空部を有する下地材に穿孔を空けて支持金具を固定する場合に下地材が劣化するのを防止することができる。下地材に中空部までハンガーアンカーを通すのに必要な大きさの穿孔を空けてもアンカー軸と穿孔の間を補強材で埋めることで、アンカー軸のぐらつきを無くし、穿孔内でアンカー軸の荷重が一点に集中しないようにすることができる。支持金具も補強材に保持されて安定して固定される。また、突出した余分なアンカー軸をハンマー等で叩くだけで簡単に途中から折ることができるので、電動工具などで切断しようとして火花が発生することも無くなる。
【００４４】
以上、本発明の実施例を述べたが、これらに限定されるものではない。例えば、ＥＣＰだけでなく、背面側で作業が困難な壁面にアンカーを通して金具を取り付ける場合にも適用することができる。
【符号の説明】
【００４５】
１００：下地材
１１０：中空部
１２０：穿孔
２００：ハンガーアンカー
２１０：アンカー軸
２２０：アンカーボルト
２３０：回動軸
２４０：ハンガー
２５０：スリット
２６０：叩落部
２７０：上支え
３００：支持金具
３１０：留孔
４００：ナット
５００：補強材
【要約】
【課題】中空部を有する下地材に穿孔を空けて支持金具を固定する場合に下地材が劣化するのを防止する。
【解決手段】下地材用固定金具は、中空部を有する下地材と、先端に回動可能なハンガーが設けられ前記下地材の裏面まで貫通させず表面から前記中空部まで空けた穿孔にアンカー軸が挿通されるハンガーアンカーと、前記ハンガーアンカーに通してナットで留めることで前記下地材の表面に固定される支持金具と、を有し、前記ハンガーを回動させて前記中空部に係止させた前記ハンガーアンカーの表面側に突出するアンカーボルトを通して前記アンカー軸と前記穿孔との間に介在させる管状の補強材を設ける、ことを特徴とする。
【選択図】図１【図１】
0006910094.tif 000002
【図２】
0006910094.tif 000003
【図３】
0006910094.tif 000004
【図４】
0006910094.tif 000005
【図５】
0006910094.tif 000006
【図６】
0006910094.tif 000007
【図７】
0006910094.tif 000008
【図８】
0006910094.tif 000009
【図９】
0006910094.tif 000010